【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
受信したＰＤＬデータに基づいて印刷を実行する受信印刷機能を少なくとも含む複数の機能を備えた画像形成装置であって、
ＰＤＬデータを受信する受信手段と、
前記複数の機能で実行される処理において利用される共有領域と、前記受信印刷機能で実行される処理においてのみ利用される専用領域と、を含む記憶領域を備える不揮発性の記憶手段と、
前記受信印刷機能についてのＰＤＬ処理を制御する制御手段と、を有し、
前記制御手段は、前記受信手段が受信したＰＤＬデータが第１種類のＰＤＬデータであることに基づいて、前記共有領域と前記専用領域を用いてＰＤＬ処理を実行し、前記受信手段が受信したＰＤＬデータが前記第１種類と異なる第２種類のＰＤＬデータであることに基づいて、前記共有領域を用いず、前記専用領域を用いてＰＤＬ処理を実行する
ことを特徴とする画像形成装置。
【請求項２】
原稿を読み取るスキャン手段を更に有し、
前記制御手段は、前記スキャン手段による原稿の読み取り機能についてのスキャン処理を制御し、前記スキャン処理の過程において前記記憶手段に対する書き込みまたは読み込みを行う場合、前記共有領域または前記専用領域と異なる専用領域のいずれかを選択して利用する
ことを特徴とする請求項１に記載の画像形成装置。
【請求項３】
前記制御手段は、前記スキャン処理の過程における前記記憶手段に対する書き込みや読み込みの対象となる情報の種別に応じて、前記共有領域または前記異なる専用領域のいずれかを選択して利用する
ことを特徴とする請求項２に記載の画像形成装置。
【請求項４】
前記制御手段は、前記スキャン処理の過程における前記記憶手段に対する書き込みや読み込みの対象が画像データである場合、前記共有領域を選択して利用する
ことを特徴とする請求項２〜３のいずれか１項に記載の画像形成装置。
【請求項５】
前記制御手段は、前記受信したＰＤＬデータが前記第１種類のＰＤＬデータであることに基づいて、前記第１種類のＰＤＬデータを前記共有領域に記憶する
ことを特徴とする請求項１〜４のいずれか１項に記載の画像形成装置。
【請求項６】
前記制御手段は、前記記憶手段に記憶した前記第１種類のＰＤＬデータに対するＰＤＬ処理の過程において生成した画像データを前記専用領域に記憶する
ことを特徴とする請求項１〜５のいずれか１項に記載の画像形成装置。
【請求項７】
前記制御手段は、前記ＰＤＬ処理の過程における前記記憶手段に対する書き込みや読み込みの対象となる情報がリソースファイルである場合、前記専用領域に記憶させる
ことを特徴とする請求項１〜６のいずれか１項に記載の画像形成装置。
【請求項８】
前記リソースファイルが、フォント情報及び／又はプロファイル情報である
ことを特徴とする請求項７に記載の画像形成装置。
【請求項９】
前記制御手段は、前記ＰＤＬ処理の過程における前記記憶手段に対する書き込みや読み込みの対象となる情報が、前記ＰＤＬ処理の過程で生成される一時ファイルである場合、前記専用領域を選択して利用する
ことを特徴とする請求項１〜８のいずれか１項に記載の画像形成装置。
【請求項１０】
前記制御手段は、前記スキャン処理の過程における前記記憶手段に対する書き込みや読み込みの対象がリソースファイルである場合、前記異なる専用領域を選択して利用する
ことを特徴とする請求項２〜９のいずれか１項に記載の画像形成装置。
【請求項１１】
前記リソースファイルが、プロファイル情報である
ことを特徴とする請求項１０に記載の画像形成装置。
【請求項１２】
前記画像形成装置は、前記第１種類のＰＤＬデータにおける描画コマンドを受信した後、前記第１種類のＰＤＬデータにおける描画データを受信する
ことを特徴とする請求項１〜１１のいずれか１項に記載の画像形成装置。
【請求項１３】
前記第１種類のＰＤＬデータは、フォーマットがＰＤＦまたはＸＰＳである
ことを特徴とする請求項１２に記載の画像形成装置。
【請求項１４】
前記画像形成装置は、前記第２種類のＰＤＬデータにおける描画コマンドと、前記第２種類のＰＤＬデータにおける描画データとを交互に受信する
ことを特徴とする請求項１〜１１のいずれか１項に記載の画像形成装置。
【請求項１５】
前記第２種類のＰＤＬデータは、フォーマットがＬＩＰＳ（登録商標）である
ことを特徴とする請求項１４に記載の画像形成装置。
【請求項１６】
前記記憶手段は、ＨＤＤである
ことを特徴とする請求項１〜１５のいずれか１項に記載の画像形成装置。
【請求項１７】
複数の機能で実行される処理において利用される共有領域と、受信印刷機能で実行される処理においてのみ利用される専用領域と、を含む記憶領域を備える不揮発性の記憶手段と、受信したＰＤＬデータに基づいて印刷を実行する前記受信印刷機能を少なくとも含む前記複数の機能を備えた画像形成装置の制御方法であって、
ＰＤＬデータを受信する受信工程と、
前記受信印刷機能についてのＰＤＬ処理を制御する制御工程と、を有し、
前記制御工程は、前記受信工程が受信したＰＤＬデータが第１種類のＰＤＬデータであることに基づいて、前記共有領域と前記専用領域を用いてＰＤＬ処理を実行し、前記受信工程が受信したＰＤＬデータが前記第１種類と異なる第２種類のＰＤＬデータであることに基づいて、前記共有領域を用いず、前記専用領域を用いてＰＤＬ処理を実行する
ことを特徴とする画像形成装置の制御方法。
【請求項１８】
請求項１７に記載の画像形成装置の制御方法をコンピュータに実行させるためのプログラム。
【手続補正２】
【補正対象書類名】明細書
【補正対象項目名】０００６
【補正方法】変更
【補正の内容】
【０００６】
本発明は、受信したＰＤＬデータに基づいて印刷を実行する受信印刷機能を少なくとも含む複数の機能を備えた画像形成装置であって、ＰＤＬデータを受信する受信手段と、前記複数の機能で実行される処理において利用される共有領域と、前記受信印刷機能で実行される処理においてのみ利用される専用領域と、を含む記憶領域を備える不揮発性の記憶手段と、前記受信印刷機能についてのＰＤＬ処理を制御する制御手段と、を有し、前記制御手段は、前記受信手段が受信したＰＤＬデータが第１種類のＰＤＬデータであることに基づいて、前記共有領域と前記専用領域を用いてＰＤＬ処理を実行し、前記受信手段が受信したＰＤＬデータが前記第１種類と異なる第２種類のＰＤＬデータであることに基づいて、前記共有領域を用いず、前記専用領域を用いてＰＤＬ処理を実行することを特徴とする。
【手続補正３】
【補正対象書類名】明細書
【補正対象項目名】００１３
【補正方法】変更
【補正の内容】
【００１３】
プリントデバイス１３３は、コントローラ１３１の指示にしたがって、画像データを出力用紙に印刷する印刷処理を実行する。
スキャンデバイス１３４は、コントローラ１３１の指示にしたがって、入力用紙（原稿）から画像データを生成するスキャン処理を実行する。
【手続補正４】
【補正対象書類名】明細書
【補正対象項目名】００１６
【補正方法】変更
【補正の内容】
【００１６】
ＣＰＵ１１３は、画像形成装置１０１全体を制御するための中央処理装置である。
ＨＤＤ１１４は、ハードディスクドライブからなる不揮発性の記憶装置である。ＨＤＤ１１４は、画像形成装置１０１における各種の処理に必要なシステムソフトウェアや、ＰＤＬデータの処理に必要なフォント情報やプロファイル情報などのリソースファイルを格納する。
【手続補正５】
【補正対象書類名】明細書
【補正対象項目名】００１９
【補正方法】変更
【補正の内容】
【００１９】
スキャンデバイスＩ／Ｆ１２０は、スキャンデバイス１３４とコントローラ１３１とを接続するインターフェースである。画像形成装置１０１のスキャン処理において、スキャンデバイス１３４で生成される画像データをコントローラ１３１に伝える役割をする。
【手続補正６】
【補正対象書類名】明細書
【補正対象項目名】００２２
【補正方法】変更
【補正の内容】
【００２２】
ジョブ制御部１４２は、ネットワークＩ／Ｆ１１１を介して入力されたＰＤＬデータを受信する。そして、ＰＤＬ制御部１４５とプリント制御部１４３を利用して、一連のＰＤＬ処理を実行する。
また、ジョブ制御部１４２は、パネルＩ／Ｆ１１２を介して入力されたユーザの操作情報にしたがい、スキャン制御部１４７とプリント制御部１４３を利用して、一連のスキャン処理を実行する。